(57)【要約】【課題】本発明は、予めリード線を組込んだリード線保持体を絶縁カバー部材に内蔵させて一体成形し、金型によるリード線の損傷等を防止することを目的とする。【解決手段】本発明によるレゾルバステータのリード線接続構造は、輪状ステータ(1)に絶縁カバー部材(3)を一体成形するレゾルバステータにおいて、ピン(4)及びリード線(5)を予め保持するためのリード線保持体(6)を内蔵する状態で絶縁カバー部材(3)が一体成形されている構成である。【選択図】図１
2008278589.tif 000002
【特許請求の範囲】
【請求項１】
所定の角度間隔で内方へ向けて突出する複数の磁極(2)を有する輪状ステータ(1)と、前記輪状ステータ(1)の両面に金型により一体に樹脂成形され前記各磁極(2)の表面を覆う絶縁カバー部材(3)と、前記各磁極(2)に前記絶縁カバー部材(3)を介して巻回されたステータ巻線(1A)と、前記絶縁カバー部材(3)の一端(3a)に設けられ前記ステータ巻線(1A)が接続されるピン(4)と、前記ピン(4)に接続されたリード線(5)と、からなるレゾルバステータのリード線接続構造において、
前記ピン(4)及びリード線(5)を予め保持するためのリード線保持体(6)を有し、前記リード線保持体(6)を前記一端(3a)に内蔵した状態で前記絶縁カバー部材(3)が形成されていることを特徴とするレゾルバステータのリード線接続構造。
【請求項２】
前記リード線保持体(6)は、互いに結合できる第１、第２保持片(10,11)よりなり、前記ピン(4)及びリード線(5)は、前記第１、第２保持片(10,11)間に挟持されていることを特徴とする請求項１記載のレゾルバステータのリード線接続構造。
【請求項３】
前記リード線保持体(6)の一部は、前記絶縁カバー部材(3)の開口(3b)から外部へ露出し、前記開口(3b)の縁部(3bA)と前記リード線(5)とは互いに離間していることを特徴とする請求項１又は２記載のレゾルバステータのリード線接続構造。
【請求項４】
前記金型の合わせ面が前記リード線保持体(6)の段部(6a,6b)に接合して、前記樹脂成形が行われることを特徴とする請求項１ないし３の何れかに記載のレゾルバステータのリード線接続構造。
【請求項５】
前記リード線保持体(6)には、前記樹脂が入り込むための複数の孔(20)が形成されていることを特徴とする請求項１ないし３の何れかに記載のレゾルバステータのリード線接続構造。
【発明の詳細な説明】
【技術分野】
【０００１】
本発明は、レゾルバステータのリード線接続構造に関し、特に、ピンに接続したリード線を予め製作したリード線保持体に組込み、このリード線保持体を絶縁カバー部材に内蔵する状態で輪状ステータと共に一体成形することにより、リード線引出部と金型の合わせ面とを離間させることができ、リード線の損傷及び圧痕を避けるための新規な改良に関する。
【背景技術】
【０００２】
従来、用いられていたこの種のレゾルバステータのリード線接続構造としては、例えば、特許文献１で示されるレゾルバ構造において、ピン及びリード線を絶縁カバーに一体成形で取付ける場合、図７及び図８で示される構成が採用されていた。
すなわち、図７及び図８において符号１で示されるものは、所定の角度間隔で内方へ向けて突出する複数の磁極２を有する輪状ステータであり、この輪状ステータ１の両面には金型によって一体に樹脂成形された絶縁カバー部材３が各磁極２の表面を覆うように形成されている。
【０００３】
前述の絶縁カバー部材３は、断面形状で示すと、図７で示される通りであり、前記絶縁カバー部材３の一端３ａに形成された端子保持部３ｃには、ピン４及びリード線５の一部がインサート成形で一体に成形されている。
【０００４】
【特許文献１】米国特許第６，０２８，３８３号明細書
【発明の開示】
【発明が解決しようとする課題】
【０００５】
従来のレゾルバステータのリード線接続構造は、以上のように構成されていたため、次のような課題が存在していた。
すなわち、輪状ステータの両面に絶縁カバー部材をインサート成形によって一体成形する際に、ピン及びリード線の一部を同時に一体成形するため、この一体成形時に、金型の各合わせ面がリード線の一部である引出部（根元部）を噛むことがあり、この金型の噛み合わせによって、リード線の被覆傷及び圧痕等が発生し、歩留まりの向上を達成することが困難であった。
【課題を解決するための手段】
【０００６】
本発明によるレゾルバステータのリード線接続構造は、所定の角度間隔で内方へ向けて突出する複数の磁極を有する輪状ステータと、前記輪状ステータの両面に金型により一体に樹脂成形され前記各磁極の表面を覆う絶縁カバー部材と、前記各磁極に前記絶縁カバー部材を介して巻回されたステータ巻線と、前記絶縁カバー部材の一端に設けられ前記ステータ巻線が接続されるピンと、前記ピンに接続されたリード線と、からなるレゾルバステータのリード線接続構造において、前記ピン及びリード線を予め保持するためのリード線保持体を有し、前記リード線保持体を前記一端に内蔵した状態で前記絶縁カバー部材が形成されている構成であり、また、前記リード線保持体は、互いに結合できる第１、第２保持片よりなり、前記ピン及びリード線は、前記第１、第２保持片間に挟持されている構成であり、また、前記リード線保持体の一部は、前記絶縁カバー部材の開口から外部へ露出し、前記開口の縁部と前記リード線とは互いに離間している構成であり、また、前記金型の合わせ面が前記リード線保持体の段部に接合して、前記樹脂成形が行われる構成であり、また、前記リード線保持体には、前記樹脂が入り込むための複数の孔が形成されている構成である。
【発明の効果】
【０００７】
本発明によるレゾルバステータのリード線接続構造は、以上のように構成されているため、次のような効果を得ることができる。
すなわち、予め製作された二体結合型のリード線保持体にピンとリード線を保持し、このピンとリード線を保持したリード線保持体を輪状ステータと共に金型に装着してインサート成形を行うため、リード線は金型の合わせ面から離間させることができ、金型の合わせ面がリード線に触れることはなく、従来のようなリード線の損傷及び圧痕等を防止し、歩留まりの向上を得ることができる。
【０００８】
また、ピンとリード線を、予め二体の保持片間に挟持して組立てるため、レゾルバステータの一体成形が容易となる。
また、金型の合わせ面がリード線保持体の段部に接合しているため、インサート成形が容易となる。
また、リード線保持体に形成された孔内に成形時の樹脂が入り込み、一体成形時のリード線保持体の一体成形による保持強度を向上させることができる。
【発明を実施するための最良の形態】
【０００９】
本発明は、ピンに接続したリード線を予め製作したリード線保持体に組込み、このリード線保持体を絶縁カバー部材に内蔵する状態で輪状ステータと共に一体成形することにより、リード線引出部と金型の合わせ面とを離間させることができ、リード線の損傷及び圧痕を避けるようにしたレゾルバステータのリード線接続構造を提供することを目的とする。
【実施例】
【００１０】
以下、図面と共に本発明によるレゾルバステータのリード線接続構造の好適な実施の形態について説明する。
尚、従来例と同一又は同等部分には同一符号を用いて説明する。
図１及び図２において符号１で示されるものは、所定の角度間隔で内方へ向けて突出する複数の磁極２を有する輪状ステータであり、この輪状ステータ１の両面には金型によって一体に樹脂成形された絶縁カバー部材３が各磁極２の表面を覆うように形成されている。
【００１１】
前述の絶縁カバー部材３は、断面形状で示すと、図１で示されるように、前記絶縁カバー部材３の一端３ａの開口３ｂ内にリード線保持体６が内臓された状態でインサート成形による一体成形によって保持されている。尚、前記各磁極２は前記各磁極２を覆う絶縁カバー部材３を介してステータ巻線１Ａが巻回されている。
【００１２】
前記リード線保持体６は、予め、図３から図６で示されるように、一対の第１保持片１０及び第２保持片１１を複数の爪１２と係止穴１３とによって組立てることができるように構成されている。
【００１３】
従って、前記各保持片１０、１１間の複数の溝１４にリード線５が接続されたピン４を係合させて挟持し、各爪１２を各係止穴１３に係止させることにより、ピン４付きのリード線５が設けられたリード線保持体６を得ることができる。
【００１４】
前記各保持片１０、１１には、複数の孔２０が形成され、この各孔２０は各保持片１０、１１の表面に連通して形成され、後述のように、絶縁カバー部材３の一体形成時に、樹脂がこの各孔２０内に入り込んで固化するため、絶縁カバー部材３とリード線保持体６とが一体状で、かつ、強固に固定される。
【００１５】
従って、一体成形する場合、前記ピン４とリード線５を挟持して組込んだリード線保持体６と輪状ステータ１を、図示しない金型内に内設して金型を閉じ、溶融樹脂を注入して射出成形による一体成形を行う場合、図１の断面図に示されているように、絶縁カバー部材３の開口３ｂ内に前記リード線保持体６が位置すると共に、その一部が外部へ露出し、この開口３ｂの縁部３ｂＡとリード線５とは互いに離間している。
【００１６】
また、前述の輪状ステータ１とリード線保持体６を絶縁カバー部材３で一体成形する場合、金型（図示せず）の合わせ面が前記リード線保持体６の段部６ａ、６ｂ（図６で示す）に接合して成形が行われるため、この合わせ面とリード線５とは互いに離間しており、合わせ面がリード線５に接触、又は、噛み込むことはなく、従来のようなリード線５の損傷及び圧痕等を避けることができる。
【図面の簡単な説明】
【００１７】
【図１】本発明によるレゾルバステータのリード線接続構造を示す断面図である。
【図２】図１の非断面状態の側面図である。
【図３】図１のリード線保持体を示す斜視図である。
【図４】図３の一方の保持片を示す拡大斜視図である。
【図５】図３のリード線保持体の分解斜視図である。
【図６】図３のリード線保持体にリード線とピンが装着された状態を示す斜視図である。
【図７】従来構成を示す断面図である。
【図８】図７の断面前の側面図である。
【符号の説明】
【００１８】
１    輪状ステータ
１Ａ    ステータ巻線
２    磁極
３    絶縁カバー部材
３ａ    一端
３ｂ    開口
３ｃ    端子保持部
３ｂＡ    縁部
４    ピン
５    リード線
６    リード線保持体
６ａ、６ｂ    段部
１０、１１    第１、第２保持片
１２    爪
１３    係止穴
１４    溝
２０    孔
【図１】
2008278589.tif 000003
【図２】
2008278589.tif 000004
【図３】
2008278589.tif 000005
【図４】
2008278589.tif 000006
【図５】
2008278589.tif 000007
【図６】
2008278589.tif 000008
【図７】
2008278589.tif 000009
【図８】
2008278589.tif 000010